(57)【要約】【課題】遊技機の内部で灰皿を回動操作させるのみで該灰皿を取り外すことなく喫煙用又は禁煙用に変換できる極めて作業性の良い灰皿を備えた遊技機を提供する。【解決手段】喫煙用と禁煙用とに変換できる灰皿１０を備えた遊技機Ｐであって、灰皿１０は遊技機Ｐに取り付けられる灰皿本体１７と該灰皿本体１７に取り付けられ遊技機Ｐの前面に配置される灰皿ユニット１８とからなり、灰皿本体１７を遊技機Ｐに該灰皿本体１７が該遊技機Ｐの取付部位ａの前面とほぼ平行な面内で自在に回動するように軸着すると共に灰皿ユニット１８の上面開口部４６又は下面閉塞部４７が上を向く位置で該灰皿本体１７を固定できる固定手段２３，３４ａ，３４ｂを備えてなる。【選択図】図６
2008113896.tif 000002
【特許請求の範囲】
【請求項１】
喫煙用と禁煙用とに変換できる灰皿を備えた遊技機であって、
前記灰皿は前記遊技機の内部に取り付けられる灰皿本体と該灰皿本体に取り付けられ前記遊技機の前面に配置される灰皿ユニットとからなり、
前記灰皿本体を前記遊技機に該灰皿本体が該遊技機の取付部位の前面とほぼ平行な面内で自在に回動するように軸着すると共に前記灰皿ユニットの上面開口部又は下面閉塞部が上を向く位置で該灰皿本体を固定できる固定手段を備えてなることを特徴とする灰皿を備えた遊技機。
【請求項２】
前記固定手段は、前記取付部位の裏側に配置され該取付部位に対して前後方向へ自在に可動すると共に付勢部材の弾性により常にその前方向へ付勢される保持突子と、前記灰皿本体における外周縁の対向位置に設けられ前記保持突子が前方向へ可動することにより嵌合し得る一対の第1・第２凹部と、からなり、前記保持突子が前記第1凹部又は第２凹部に嵌合することにより、前記灰皿ユニットの上面開口部又は下面閉塞部のいずれかが上を向く位置で前記灰皿本体を固定できるようにした請求項１記載の灰皿を備えた遊技機。
【請求項３】
前記灰皿ユニットは前記灰皿本体に回動自在に軸着されると共に付勢部材の弾性により常に上面開口部が上を向くように付勢される請求項１又は２記載の灰皿を備えた遊技機。
【発明の詳細な説明】
【技術分野】
【０００１】
本発明は、喫煙用と禁煙用とに変換できる灰皿を備えた遊技機に関するものである。
【背景技術】
【０００２】
従来、遊技機の一種であるパチンコ遊技機にあって、喫煙用と禁煙用とに変換できる灰皿を備えた遊技機として次のようなものが知られている。すなわち、該パチンコ遊技機は、灰皿が厚みを有した細長い形状に成形され、その前側にタバコの吸殻や灰を収納する灰皿ユニットを設けると共に後側はその上面が盲板により塞がれている。パチンコ遊技機には、下部の球受皿に内枠の貫通孔と連通する貫通孔が設けられ、該内枠の貫通孔から後方へ延びる上方の当て板と弾性を有する下方の当て板が設けられている。上方の当て板の後端部に下さがりの止板が設けられ、下方の当て板の後端部の上面に突起が付設されている。そして、前側に灰皿ユニットを配置した状態で灰皿を貫通孔内に挿入することにより、該灰皿の後端部が止板に当接すると共に突起が灰皿下面の受溝に嵌合して灰皿が固定され喫煙用として使用することができるようになっている。一方、灰皿を禁煙用として使用するには、前記状態で内枠の裏側から下方の当て板をその弾性に抗して引き下げて受溝と突起との係合を外し、内枠の表側から灰皿を引き抜く。次に、その灰皿の前後側を逆にし盲板を前側に位置させて再び貫通孔内に挿入することにより、灰皿が止板に当接すると共に突起が受溝に嵌合して固定されるようになっている（例えば、特許文献１参照。）。
【０００３】
【特許文献１】特開平９−２０６４５１号公報（第２−３頁、図２）
【発明の開示】
【発明が解決しようとする課題】
【０００４】
このように、前記特許文献１のパチンコ遊技機は、喫煙用から禁煙用又は禁煙用から喫煙用に変換する場合に、内枠の裏側で下方の当て板をその弾性に抗して引き下げ受溝と突起との係合を外して内枠の表側から灰皿を引き抜いて一旦取り外し、その灰皿の前後側を逆にし盲板を前側に位置させて再び貫通孔内に挿入するといった差し替え式による。このため、灰皿の変換のための作業が内枠の裏側と表側との二個所になるばかりか、灰皿を取り外して差し替えねばならないことから、面倒な作業を強いられ作業性に劣るといった課題があった。
【０００５】
そこで、本発明は上記課題を解決すべくなされたもので、遊技機の内部で灰皿を回動操作させるのみで該灰皿を取り外すことなく喫煙用又は禁煙用に変換できる極めて作業性の良い灰皿を備えた遊技機を提供することを目的とするものである。
【課題を解決するための手段】
【０００６】
かかる目的を達成するため本発明に係る灰皿を備えた遊技機は、喫煙用と禁煙用とに変換できる灰皿を備えた遊技機であって、前記灰皿は前記遊技機の内部に取り付けられる灰皿本体と該灰皿本体に取り付けられ前記遊技機の前面に配置される灰皿ユニットとからなり、前記灰皿本体を前記遊技機に該灰皿本体が該遊技機の取付部位の前面とほぼ平行な面内で自在に回動するように軸着すると共に前記灰皿ユニットの上面開口部又は下面閉塞部が上を向く位置で該灰皿本体を固定できる固定手段を備えてなることを特徴とする。
【０００７】
この際、前記固定手段は、例えば、前記取付部位の裏側に配置され該取付部位に対して前後方向へ自在に可動すると共に付勢部材の弾性により常にその前方向へ付勢される保持突子と、前記灰皿本体における外周縁の対向位置に設けられ前記保持突子が前方向へ可動することにより嵌合し得る一対の第1・第２凹部と、からなり、前記保持突子が前記第1凹部又は第２凹部に嵌合することにより、前記灰皿ユニットの上面開口部又は下面閉塞部のいずれかが上を向く位置で前記灰皿本体を固定できるようにした構成が採られる。
【０００８】
また、前記灰皿ユニットは前記灰皿本体に回動自在に軸着されると共に付勢部材の弾性により常に上面開口部が上を向くように付勢されることが好ましい。
【発明の効果】
【０００９】
本発明に係る灰皿を備えた遊技機は、灰皿本体を遊技機に該灰皿本体が該遊技機の取付部位の前面とほぼ平行な面内で自在に回動するように軸着すると共に灰皿ユニットの上面開口部又は下面閉塞部が上を向く位置で該灰皿本体を固定できる固定手段を備えてなり、灰皿本体を回動させるのみで灰皿が喫煙用又は禁煙用に変換できることになるので、その作業が簡単となり作業性に優れるという効果を奏する。
【００１０】
また、灰皿ユニットを灰皿本体に回動自在に軸着すると共に付勢部材の弾性により常に上面開口部が上を向くように付勢すれば、灰皿を喫煙用として使用した場合、溜まったタバコの吸殻や灰を取り除くに灰皿ユニットを付勢部材の弾性に抗して回動させるのみで取り除くことができる。また、灰皿ユニットをそのまま離せば該灰皿ユニットが付勢部材の弾性により自動的に元の位置に戻るので、その掃除が簡単に行なえ作業性が良くなるという効果が有る。
【発明を実施するための最良の形態】
【００１１】
以下、本発明に係る灰皿を備えた遊技機の実施の形態を図面に基づき説明する。本発明はパチンコ遊技機、アレンジボール機、雀球遊技機、パロット（登録商標）機、スロットマシン等の遊技機に適用できるが、その一例としてパチンコ遊技機について説明する。図１は本発明が適用されるパチンコ遊技機の斜視図である。１は木製からなる縦長長方形状の外枠であり、該外枠１の前面に遊技盤２を配設した内枠３が開閉自在に装着される。内枠３の前面には、前記遊技盤２の前面を覆う透明板保持枠４がその一側の軸支部５を中心として開閉自在に装着される。
【００１２】
また、その下方に遊技盤２の下部前面を覆う前面板６が同じく開閉自在に装着される。該前面板６の前面には、発射レール（図示せず。）の打球発射部（図示せず。）に供給する遊技球を貯留するための上部の球受皿７が装着されている。前面板６の下方に、発射レールや打球発射装置（図示せず。）の前面を覆う下部前板８が同じく開閉自在に装着される。下部前板８の前面には、その中央部に位置して上部の球受皿７から溢れる遊技球を貯留するための下部の球受皿９が設けられ、その一側に本発明に係る灰皿１０、他側に打球としての遊技球の打球力を調整するための打球力調整ハンドル１１が取着されている。
【００１３】
前記遊技盤２の前面に、該遊技盤２の前面に取着される内側ガイドレール１２ａと、内枠３に開設され遊技盤２の前面が臨む開口１３の内周縁に取着された外側ガイドレール１２ｂとにより囲われるようにして遊技部２ａが形成される。該遊技部２ａには、その中央部に位置して数字、図柄等の情報を変動表示する表示部１４ａを備えた可変表示装置１４、その下方に位置して遊技球の入賞により前記情報を変動させる始動入賞口１５が装着される。また、その下方に、前記可変表示装置１４の表示部１４ａの情報が特定の表示（例えば、「７７７」）に揃ったとき、一定の条件の下で一度に多くの賞球としての遊技球が得られる入賞装置１６が装着されている。
【００１４】
次に、本発明に係る灰皿１０について説明する。図２は灰皿の分解斜視図、図３は下部前板の表側から見た灰皿の正面図、図４は下部前板の裏側から見た灰皿の背面図、図５は下部前板に装着される灰皿の側面図、図６は下部前板に装着される灰皿の側面断面図である。灰皿１０は、パチンコ遊技機Ｐの内部すなわち下部前板８の裏側に取り付けられる灰皿本体１７と、該灰皿本体１７に取り付けられパチンコ遊技機Ｐすなわち下部前板８の前面に配置される灰皿ユニット１８とからなる。
【００１５】
下部前板８における灰皿１０の取付部位ａの前面に、後方へ窪む円形状の取付凹部１９が形成され、その中心に同心円状の取付円孔２０が開設される。また、取付凹部１９の裏面には、前記取付円孔２０の周縁から後方へ突出する筒状のフランジ部２１が一体に設けられている。フランジ部２１の外側であって取付凹部１９の裏面一側に、後方へ延出する支持ピン２２が突設され、該支持ピン２２にドーナッツ状の固定手段としての保持突子２３が嵌め込まれている。この保持突子２３は、後記する切替操作板２７を所定の位置で保持固定するためのものであり、支持ピン２２に沿って前後方向へ自在に可動すると共に支持ピン２２の後端に止着した抜止部材２４との間に介装される付勢部材としての圧縮スプリング２５により常に前方向すなわち下部前板８側へ付勢されるようになっている。
【００１６】
灰皿本体１７は、取付凹部１９の裏面に配置される止め板２６と、該止め板２６を収納するようにして取付凹部１９の裏面に配置される切替操作板２７と、該切替操作板２７の裏面に取着されるカバー板２８とから構成される。
【００１７】
止め板２６は、後面に円形窪み２９を有すると共にその中央に後方へ突出する円筒部３０を設け、前面には円筒部３０と同心円状に環状凹溝３１が凹設されている。また、環状凹溝３１内の上端部に位置決め片２６ａが設けられる。この位置決め片２６ａは、切替操作板２７から後方へ突出する後記するストッパー片２７ａが当接して、灰皿ユニット１８の後記する灰皿受け３９をその上面開口部４６が上を向く位置で停止させるためのものである。
【００１８】
切替操作板２７は、取付凹部１９の裏側から後方へ突出するフランジ部２１が遊嵌される円形の透孔３２を開設した環状の操作板本体３３からなり、該操作板本体３３の外周縁の対向位置に前記保持突子２３が嵌合し得る固定手段である一対の円弧状の第１・第２凹部３４ａ，３４ｂが設けられる。また、操作板本体３３の裏面に透孔３２と同心円状に円筒状の支持筒部３５が突設され、該支持筒部３５の適宜位置に後端の外側を向く爪部３６ａが前記支持筒部３５の後端縁から後方へ少し突出する係止片３６が複数本（この場合、等間隔に４個）設けられている。前記操作板本体３３の裏面の所定の位置に、前記止め板２６の位置決め片２６ａに当接し得るストッパー片２７ａが突設される。
【００１９】
カバー板２８は、透明な部材によって成形され切替操作板２７の裏面を覆う大きさの略円板からなり、前記各係止片３６に対応位置してそれら爪部３６ａが弾性に抗して係合する係合孔３７が開設される。
【００２０】
灰皿ユニット１８は、パチンコ遊技機Ｐすなわち下部前板８の前面に配置されその取付部位ａに設けられた取付凹部１９内に嵌る円板状の回転支持板３８と、該回転支持板３８の前面に固着されタバコの吸殻や灰を収納する灰皿受け３９とからなる。
【００２１】
回転支持板３８は、円板状をなしその前面に浅い円形の凹窪４０が成形される。該凹窪４０の前面の両横位置と中央下部位置に、それぞれ螺子挿通孔４１を開設した受止座部４２が設けられる。また、回転支持板３８の裏面に、その中央に位置して後方へ突出する軸筒部４３が設けられる。この軸筒部４３の内周面には、後端に螺子孔４４を有する螺子止部４５が設けられる。
【００２２】
灰皿受け３９は、上面が開口する椀状に成形され、上面を上面開口部４６とし下面を下面閉塞部４７としている。灰皿受け３９の後端縁は、前記回動支持板３８における凹窪４０の内周縁に合致するようにその形状が選ばれる。また、灰皿受け３９の内部における後側壁３９ａにタバコの火を消すための火消し段部４８が形成されると共に、前端縁にはタバコを一時保持しておくための凹溝４９が設けられる。後側壁３９ａの裏面に、回転支持板３８に開設された各螺子挿通孔４１に対応位置して後端に螺子孔５０ａを有するボス５０が突設されている。
【００２３】
図２中、５１は回転支持板３８前面の凹窪４０内に配置され装飾性を高めるための半円板形状の飾り板であり、その前面に所望のデザインや遊技者への注意又は宣伝といった文句を印刷できるようにしている。５２は取付凹部１９内の取付円孔２０内に嵌め込まれ軸孔５３を有する環状枠である。軸孔５３は、その内周面が後方へ進むに従い漸次窄まるように成形され、また、環状枠５２の前面に軸孔５３と同心円状の円環凸条５４が設けられている。回動支持板３８を取付凹部１９内に嵌めたとき、図６に示すように回動支持板３８の裏面に円環凸条５４が当接し、かつ、軸筒部４３の外周面が軸孔５３の後端部に接するようになっている。これにより、灰皿ユニット１８が回動する際の摩擦を軽減するようにしている。
【００２４】
そして、回動支持板３８前面の凹窪４０の下部に灰皿受け３９を配置する。この際、飾り板５１も同時に凹窪４０の上部に配置する。この状態で、回動支持板３８の裏側から各螺子挿通孔４１を介して各ボス５０の螺子孔５０ａに螺子５５を螺締する。これにより、回転支持板３８に飾板５１と共に灰皿受け３９が一体に組み付けられる。また、下部前板８の表側から取付円孔２０内に環状枠５２を嵌め込んでおき、軸筒部４３を環状枠５２の軸孔５３に挿通するようにして取付凹部１９内に回動支持板３８を嵌める。
【００２５】
次に、切替操作板２７内に後側から止め板２６を挿入し、下部前板８の裏側でその切替操作板２７を取付凹部１９の裏面に当接すると共に、止め板２６の環状凹溝３１内にフランジ部２１を挿入する。また、この状態で、止め板２６に設けられた各螺子挿通孔５６を介してこれらと対応位置する回動支持板３８の各螺子孔４４に螺子５６を螺締する。更に、止め板２６から後方へ突出する円筒部３０に付勢部材としての捩りコイルバネ５８を巻装し、該捩りコイルバネ５８の一端を止め板２６における円形窪み２９内の止着部５９に止着し、他端を切替操作板２７の一つの係止片３６に掛止する。この状態で、切替操作板２７の裏側にカバー板２８を当接し、各係合孔３７に各係止片３６の爪部３６ａを係合させる。
【００２６】
これにより、下部前板８に灰皿１０が組み付けられる。灰皿本体１７をなす切替操作板２７は、取付凹部１９の裏面でその取付部位ａの前面とほぼ平行な面内で時計回り方向又は半時計回り方向に自在に回動するように軸着される。この際、保持突子２３はその回動動作の邪魔にならないように圧縮スプリング２５の弾性に抗して後方へ引いておく。そして、灰皿ユニット１８の灰皿受け３９が所定の位置すなわち上面開口部４６又は下面閉塞部４７が上を向く位置で固定できるように、保持突子２３が圧縮スプリング２５の付勢により可動して第１凹部３４ａ又は第２凹部３４ｂに嵌合し得るようになっている。この場合、保持突子２３が第１凹部３４ａに嵌合したときは、灰皿受け３９の上面開口部４６が上を向いて喫煙できるようになっており、保持突子２３が第２凹部３４ｂに嵌合したときは、灰皿受け３９の下面閉塞部４７が上を向いて喫煙できない禁煙状態に設定される。
【００２７】
また、灰皿ユニット１８は、捩りコイルバネ５８の弾性により一方向へ回動付勢されるが、図６に示すように止め板２６の位置決め片２６ａが切替操作板２７のストッパー片２７ａに当接してその位置に停止されている。すなわち、保持突子２３が第１凹部３４ａに嵌合し前記灰皿受け３９がその上面開口部４６を上に向けて停止している状態では、図３に示すように灰皿受け３９は捩りコイルバネ５８の弾性に抗して一方へ回動してその上面開口部４６を下に向けることができるようになっている。また、灰皿受け３９をそのまま放すと、捩りコイルバネ５８の弾性により元の位置へ復動するようになっている。
【００２８】
本発明に係る灰皿を備えたパチンコ遊技機は、上記構成からなり次に作用を説明する。パチンコ遊技機Ｐを喫煙コーナーに設置する場合は、下部前板８を開いて保持突子２３を後方へ引き、切替操作板２７をいずれかの方向へ回動させて灰皿ユニット１８の灰皿受け３９の上面開口部４６が上を向く位置で放し、第１凹部３４ａに保持突子２３を嵌合させる。これにより、図１、図３、図５に示すように上面開口部４６が上を向いた状態で灰皿１０を使用できることになり、遊技者は喫煙を楽しみながら遊技をすることができる。また、灰皿受け３９内に多くの吸殻や灰が溜まった場合は、パチンコ遊技機Ｐの前側から従業員が灰皿受け３９を図３に示すように一方へ回動することにより、吸殻や灰が簡単に取り出せ掃除が容易に行なえる。
【００２９】
この際、灰皿受け３９は、パチンコ遊技機Ｐの取付部位の前面すなわち下部前板８の取付部位ａの前面とほぼ平行な面内で自在に回動する。よって、特に、前側から灰皿受け３９に遊技者が不注意により触れても簡単に回動するようなことはなく、吸殻や灰がこぼれ難い。更には、これによって遊技者の衣服の汚れや火傷事故を防ぐことができる。
【００３０】
一方、パチンコ遊技機Ｐを禁煙コーナーに設置する場合は、下部前板８を開いて図７矢視方向のように保持突子２３を後方へ引き、図８、図９に示すように切替操作板２７を一方向へ回動させて灰皿ユニット１８の灰皿受け３９の下面閉塞部３４ｂが図１０に示すように上を向く位置で放し、第２凹部３４ｂに保持突子２３を嵌合させる。これにより、禁煙している遊技者はタバコの煙を気にせず楽しく遊技をすることができる。
【００３１】
このように、本発明は、パチンコ遊技機Ｐの内部にあって灰皿本体１７を回動させるのみでパチンコ遊技機Ｐが喫煙用又は禁煙用に変換できることになるので、その作業が簡単となり作業性に優れることになる。
【図面の簡単な説明】
【００３２】
【図１】本発明が適用されるパチンコ遊技機の斜視図。
【図２】灰皿の分解斜視図。
【図３】下部前板の表側から見た灰皿の正面図。
【図４】下部前板の裏側から見た灰皿の背面図。
【図５】下部前板に装着される灰皿の側面図。
【図６】下部前板に装着される灰皿の側面断面図。
【図７】作用を示す下部前板に装着される灰皿の側面図。
【図８】作用を示す下部前板の裏側から見た灰皿の背面図。
【図９】作用を示す下部前板の裏側から見た灰皿の斜視図。
【図１０】作用を示す下部前板の表側から見た灰皿の斜視図。
【符号の説明】
【００３３】
１０          灰皿
１７          灰皿本体
１８          灰皿ユニット
２３          固定手段（保持突子）
２５          付勢部材（圧縮スプリング）
３４ａ        固定手段（第１凹部）
３４ｂ        固定手段（第２凹部）
４６          上面開口部
４７          下面閉塞部
５８          付勢部材（捩りコイルバネ）
ａ            取付部位
Ｐ            遊技機（パチンコ遊技機）
【図１】
2008113896.tif 000003
【図２】
2008113896.tif 000004
【図３】
2008113896.tif 000005
【図４】
2008113896.tif 000006
【図５】
2008113896.tif 000007
【図６】
2008113896.tif 000008
【図７】
2008113896.tif 000009
【図８】
2008113896.tif 000010
【図９】
2008113896.tif 000011
【図１０】
2008113896.tif 000012